(57)【要約】【課題】スムーズな釣糸の放出および巻き取りを実現する。【解決手段】ラインガイド２３は、釣糸案内体２２の前方から見て、スプール５の軸線に沿うようにして左右方向に横長形状とされた釣糸挿通孔２４を有しており、ラインガイド２３の前後方向の近傍位置において上下方向に移動可能に設けられ、軸線に沿う釣糸案内部３１を備えたピラー３０を備え、ピラー３０は、釣糸巻き取り時に下方向に移動することで、釣糸挿通孔２４の下部内面中央部２４ｃ’に釣糸案内部３１で釣糸を誘導して下部内面中央部２４ｃ’に釣糸を保持する第１の位置と、釣糸放出時に上方向に移動することで、第１の位置から退避する第２の位置と、の間で移動可能に設けられている構成とした。【選択図】図１
2012070683.tif 000002
【特許請求の範囲】
【請求項１】
リール本体の側板間に回転自在に支持したスプールと、一方の前記側板に設けた駆動機構と、前記スプールの前方において、前記駆動機構のハンドル軸の回転操作に連動して左右方向に往復動可能に設けられ、前記スプールに釣糸を平行に巻回する釣糸案内体と、前記釣糸案内体に設けられたラインガイドと、を備えた魚釣用リールであって、
前記ラインガイドは、前記釣糸案内体の前方から見て、前記スプールの軸線に沿うようにして左右方向に横長形状とされた釣糸挿通孔を有しており、前記釣糸挿通孔の下部内面には、当該釣糸挿通孔の下部内面中央部に向けて下る傾斜面が形成されており、
前記ラインガイドの前後方向の近傍位置において上下方向に移動可能に設けられ、前記軸線に沿う釣糸案内部を備えたピラーを備え、
前記ピラーは、
釣糸巻き取り時に下方向に移動することで、前記釣糸挿通孔の前記下部内面中央部に前記釣糸案内部で釣糸を誘導して当該下部内面中央部に釣糸を保持する第１の位置と、釣糸放出時に上方向に移動することで、前記第１の位置から退避する第２の位置と、の間で移動可能に設けられていることを特徴とする魚釣用リール。
【請求項２】
前記ラインガイドにおける前記釣糸挿通孔の前記下部内面中央部には、釣糸巻き取り時に前記ピラーにより当該下部内面中央部に誘導された釣糸が挿入される釣糸案内溝が形成されていることを特徴とする請求項１に記載の魚釣用リール。
【請求項３】
前記スプールに対する釣糸の巻き取りを可能にするクラッチＯＮ状態と、前記スプールからの釣糸放出を可能にするクラッチＯＦＦ状態と、に切り換え操作可能なクラッチレバーを備え、
前記ピラーは、前記クラッチレバーの切り換え操作に連動して、前記クラッチＯＮ状態で前記第１の位置に移動し、前記クラッチＯＦＦ状態で前記第２の位置に移動することを特徴とする請求項１または請求項２に記載の魚釣用リール。
【請求項４】
前記リール本体上部の前記側板間に設けられたサムレストを備え、
前記サムレストは、前記クラッチレバーの切り換え操作に連動して上下方向に移動可能に設けられており、前記ピラーは、前記サムレストの上方向への移動により前記第２の位置に移動するとともに、前記サムレストの下方向への移動により前記第１の位置に移動することを特徴とする請求項３に記載の魚釣用リール。
【請求項５】
前記スプールに対する釣糸の巻き取りを可能にするクラッチＯＮ状態と、前記スプールからの釣糸放出を可能にするクラッチＯＦＦ状態と、に切り換え操作可能なクラッチレバーを備え、
前記リール本体には、前記クラッチレバーとは別個独立したピラー操作部が設けられており、
前記ピラーは、前記ピラー操作部の操作により前記第１の位置および前記第２の位置に移動することを特徴とする請求項１または請求項２に記載の魚釣用リール。
【請求項６】
前記ピラーは、前記スプールと前記ラインガイドとの間に配置されていることを特徴とする請求項１から請求項５のいずれか１項に記載の魚釣用リール。
【請求項７】
前記ピラーは、前記スプールに近づく方向の移動成分を含んで前記第１の位置から第２の位置に移動するとともに、前記ラインガイドに近づく方向の移動成分を含んで前記第２の位置から前記第１の位置に移動することを特徴とする請求項６に記載の魚釣用リール。
【請求項８】
前記傾斜面は直線状を呈しており、その傾斜角度は、水平面に対して１〜３０度であることを特徴とする請求項１から請求項７のいずれか１項に記載の魚釣用リール。
【請求項９】
前記釣糸挿通孔は、水平面に対して平行な上部内面を有しており、左右開口幅が上下開口高さに比べて大きく形成されて、左右方向に横長形状とされていることを特徴とする請求項１から請求項８に記載の魚釣用リール。
【請求項１０】
前記ピラーは、釣糸の巻き取り方向および放出方向に沿って回転可能に支持されていることを特徴とする請求項１から請求項９のいずれか１項に記載の魚釣用リール。
【請求項１１】
前記ピラーは、釣糸を軸回りに囲う枠状とされていることを特徴とする請求項１から請求項１０のいずれか１項に記載の魚釣用リール。
【請求項１２】
前記ピラーは、上枠と下枠と左右枠とを備え、
前記上枠は、前記ピラーが前記第１の位置に移動した際に、前記釣糸挿通孔の前記下部内面中央部に釣糸を誘導し、当該下部内面中央部に釣糸を保持するようになっており、
前記下枠は、前記ピラーが前記第２の位置に移動した際に、前記釣糸挿通孔の前記下部内面中央部から上方へ釣糸を誘導し、当該下部内面中央部から釣糸を離脱させることを特徴とする請求項１１に記載の魚釣用リール。
【請求項１３】
前記リール本体の下端部を基準として、
前記下端部から前記スプールの釣糸巻回位置までの高さをｈ１、
前記下端部から前記ピラーの釣糸案内部までの高さをｈ２、
前記下端部から前記釣糸挿通孔の上部内面までの高さをｈ３、
前記下端部から前記釣糸挿通孔の下部内面中央部までの高さをｈ４、
としたときに、
釣糸巻き取り時の関係が、
ｈ１  ≧  ｈ３  ＞  ｈ２  かつ、  ｈ４  ≧  ｈ２    であり、
釣糸放出時の関係が、
ｈ１  ≧  ｈ３  かつ、  ｈ２  ＞  ｈ３    である、
ことを特徴とする請求項１から請求項１０のいずれか１項に記載の魚釣用リール。
【発明の詳細な説明】
【技術分野】
【０００１】
本発明は、スプール前方の側板間に、スプールに釣糸を平行に巻回案内するレベルワインド機構を備えた魚釣用リールに関する。
【背景技術】
【０００２】
従来、一般的な魚釣用リールは、リール本体に回転可能に支持したスプールを、動力伝達状態のクラッチＯＮ状態と動力遮断状態のクラッチＯＦＦ状態とに切り換えるクラッチレバーを備えており、このクラッチレバーを操作することで、スプールフリー（クラッチＯＦＦ状態）とし、キャスティング操作によって釣糸（仕掛け）を所定のポイントへ放出した後、ハンドルの巻き取り回転操作により、自動的にクラッチＯＮ状態に復帰できるように構成されている。
【０００３】
そして、ハンドルの巻き取り回転操作により、レベルワインド機構の釣糸案内体に設けられたラインガイドが左右方向に往復移動し、ラインガイドに挿通保持された釣糸がラインガイドを介してスプールに略平行に巻回されるようになっている。
【０００４】
ところで、魚釣用リールにおいて、釣糸放出時の抵抗を減少させることにより、飛距離性能の向上や仕掛け落下のスピード（着底までのスピード）を早くしたいという要望があった。
その一方で、巻き取り時の巻き取りムラに起因して、釣糸放出時に抵抗が生じることや、糸絡み等のトラブルが生じるのを回避するために、釣糸の巻き取り時には、スプールに対して釣糸を均一に平行に巻回したいという要望があった。
【０００５】
このような要望に対応する魚釣用リールとして、特許文献１に開示されたものが知られている。
この魚釣用リールでは、釣糸を抑える役割をなすピラーが上下方向に移動可能に設けられており、釣糸放出時にピラーを上方向に移動させることにより、釣糸放出時のガイド抵抗を減少させることができ、また、釣糸巻き取り時にはピラーを下方向に移動させることにより、ピラーを釣糸に接触させてガイドすることで、釣糸巻き取り時の巻取精度を向上させることが可能となっている。
【先行技術文献】
【特許文献】
【０００６】
【特許文献１】特開平１−１６５３２９号公報
【発明の概要】
【発明が解決しようとする課題】
【０００７】
特許文献１の魚釣用リールでは、釣糸放出時にピラーを上方向に移動させてガイド抵抗を減少させることが可能であるが、釣糸放出時には、スプールから繰り出された釣糸が遠心力により上下方向に膨らみ易くなり、糸絡み等のトラブルが生じ易かった。
【０００８】
また、釣糸巻き取り時には、フレームや平面視でハ字形とされたガイドの端部等に釣糸が引っ掛かったり、左右端部から中央部に釣糸が戻らなかったりするおそれもあった。
【０００９】
本発明は、前記問題を解決するためになされたものであり、スムーズな釣糸の放出および巻き取りを実現することができる魚釣用リールを提供することを課題とする。
【課題を解決するための手段】
【００１０】
このような課題を解決する本発明の魚釣用リールは、リール本体の側板間に回転自在に支持したスプールと、一方の前記側板に設けた駆動機構と、前記スプールの前方において、前記駆動機構のハンドル軸の回転操作に連動して左右方向に往復動可能に設けられ、前記スプールに釣糸を平行に巻回する釣糸案内体と、前記釣糸案内体に設けられたラインガイドと、を備えた魚釣用リールであって、前記ラインガイドは、前記釣糸案内体の前方から見て、前記スプールの軸線に沿うようにして左右方向に横長形状とされた釣糸挿通孔を有しており、前記釣糸挿通孔の下部内面には、当該釣糸挿通孔の下部内面中央部に向けて下る傾斜面が形成されており、前記ラインガイドの前後方向の近傍位置において上下方向に移動可能に設けられ、前記軸線に沿う釣糸案内部を備えたピラーを備え、前記ピラーは、釣糸巻き取り時に下方向に移動することで、前記釣糸挿通孔の前記下部内面中央部に前記釣糸案内部で釣糸を誘導して当該下部内面中央部に釣糸を保持する第１の位置と、釣糸放出時に上方向に移動することで、前記第１の位置から退避する第２の位置と、の間で移動可能に設けられていることを特徴とする。
ここで、前記ピラーとは、釣糸を押下可能な前記釣糸案内部を有する棒状、板状、枠状を呈した部材であり、釣糸案内部としては、水平直線状、傾斜直線状、湾曲状（湾曲凸条、湾曲凹状）、複数の直線を組み合わせた形状、直線と曲線とを組み合わせた形状等がある。
また、下る傾斜面とは、直線状、湾曲状（湾曲凸条、湾曲凹状）、複数の直線を組み合わせた形状、直線と曲線とを組み合わせた形状等の傾斜面である。
【００１１】
この魚釣用リールによれば、ラインガイドに設けられた釣糸挿通孔は、釣糸案内体の前方から見て、スプールの軸線に沿うようにして左右方向に横長形状とされているので、釣糸放出時の釣糸の移動方向、すなわち、スプールの軸線に沿って左右方向に繰り出し位置を変えながら繰り出される釣糸の移動方向に対応した幅広のスペースを有するものとなっている。
したがって、釣糸放出時には、釣糸挿通孔内を釣糸が左右方向に繰り出し位置を変えながら通過することとなる。
【００１２】
釣糸挿通孔の下部内面には、釣糸挿通孔の下部内面中央部に向けて下る傾斜面が形成されており、スプールの軸線に沿う釣糸案内部を備えたピラーは、釣糸巻き取り時に下方向に移動することで、釣糸挿通孔の下部内面中央部に釣糸案内部で釣糸を誘導して下部内面中央部に釣糸を保持する第１の位置を採るようになっているので、釣糸巻き取り時に釣糸は、釣糸挿通孔の下部内面中央部において、左右方向の移動が規制された状態で位置決めされることとなる。
【００１３】
また、ピラーは、釣糸放出時に上方向に移動することで、第１の位置から退避して第２の位置に移動するようになっているので、釣糸は、釣糸放出時に、釣糸挿通孔の下部内面中央部から離れ、釣糸挿通孔内において左右方向の移動が許容された状態となる。
【００１４】
また、本発明は、前記ラインガイドにおける前記釣糸挿通孔の前記下部内面中央部に、釣糸巻き取り時に前記ピラーにより当該下部内面中央部に誘導された釣糸が挿入される釣糸案内溝が形成されていることを特徴とする。
【００１５】
この魚釣用リールによれば、釣糸巻き取り時に、ピラーによりラインガイドの下部内面中央部に誘導された釣糸は、下部内面中央部に形成された釣糸案内溝に挿入され、この釣糸案内溝内に保持されて左右方向の移動が規制された状態で下部内面中央部に位置決めされることとなる。
【００１６】
また、本発明は、前記スプールに対する釣糸の巻き取りを可能にするクラッチＯＮ状態と、前記スプールからの釣糸放出を可能にするクラッチＯＦＦ状態と、に切り換え操作可能なクラッチレバーを備え、前記ピラーは、前記クラッチレバーの切り換え操作に連動して、前記クラッチＯＮ状態で前記第１の位置に移動し、前記クラッチＯＦＦ状態で前記第２の位置に移動することを特徴とする。
なお、クラッチＯＮ状態にクラッチレバーを切り換え操作するという操作には、ハンドルの巻き取り回転操作により、クラッチＯＮ状態に自動的に復帰される操作が含まれる。
【００１７】
この魚釣用リールによれば、スプールに対する釣糸の巻き取りを可能にするクラッチＯＮ状態にクラッチレバーを切り換え操作することにより、ピラーが第１の位置に移動し、釣糸挿通孔の下部内面中央部に釣糸が誘導されて保持される。
また、スプールからの釣糸放出を可能にするクラッチＯＦＦ状態にクラッチレバーを切り換え操作することにより、ピラーが第２の位置に移動し、釣糸挿通孔の下部内面中央部から釣糸が離脱可能となる。
【００１８】
また、本発明は、前記リール本体上部の前記側板間に設けられたサムレストを備え、前記サムレストは、前記クラッチレバーの切り換え操作に連動して上下方向に移動可能に設けられており、前記ピラーは、前記サムレストの上方向への移動により前記第２の位置に移動するとともに、前記サムレストの下方向への移動により前記第１の位置に移動することを特徴とする。
なお、クラッチＯＮ状態にクラッチレバーを切り換え操作するという操作には、ハンドルの巻き取り回転操作により、クラッチＯＮ状態に自動的に復帰される操作が含まれる。
【００１９】
この魚釣用リールによれば、スプールに対する釣糸の巻き取りを可能にするクラッチＯＮ状態にクラッチレバーを切り換え操作することにより、サムレストが下方向へ移動し、この移動によりピラーが第１の位置に移動して、釣糸挿通孔の下部内面中央部に釣糸が誘導されて保持される。
また、スプールからの釣糸放出を可能にするクラッチＯＦＦ状態にクラッチレバーを切り換え操作することにより、サムレストが上方向へ移動し、この移動によりピラーが第２の位置に移動して、釣糸挿通孔の下部内面中央部から釣糸が離脱可能となる。
【００２０】
また、サムレストの上下方向の移動と一緒にピラーが上下方向に移動するので、サムレストがピラーの移動に邪魔にならず、これによって、ピラーの上下方向の移動量を大きく設定することが可能となる。また、ラインガイドを上下方向（高さ方向）に大きく形成することも可能となる。
【００２１】
また、本発明は、前記スプールに対する釣糸の巻き取りを可能にするクラッチＯＮ状態と、前記スプールからの釣糸放出を可能にするクラッチＯＦＦ状態と、に切り換え操作可能なクラッチレバーを備え、前記リール本体には、前記クラッチレバーとは別個独立したピラー操作部が設けられており、前記ピラーは、前記ピラー操作部の操作により前記第１の位置および前記第２の位置に移動することを特徴とする。
【００２２】
この魚釣用リールによれば、リール本体には、クラッチレバーとは別個独立したピラー操作部が設けられており、ピラーは、ピラー操作部の操作により第１の位置および第２の位置に移動するようになっているので、例えば、クラッチＯＮ状態において、ピラー操作部を操作することにより第１の位置から第２の位置にピラーを移動させることができる。これによって、釣糸挿通孔の下部内面中央部における釣糸の保持を解除することができ、下部内面中央部から釣糸が離脱可能となる。
【００２３】
また、本発明は、前記ピラーは、前記スプールと前記ラインガイドとの間に配置されていることを特徴とする。
【００２４】
この魚釣用リールによれば、ピラーが、スプールとラインガイドとの間に配置されているので、釣糸放出時には、スプールから繰り出される釣糸をピラーで抑えることができ、また、釣糸巻き取り時には、巻き取られる釣糸に対してピラーでテンションを与えるようにして保持することができる。
【００２５】
また、本発明は、前記ピラーは、前記スプールに近づく方向の移動成分を含んで前記第１の位置から第２の位置に移動するとともに、前記ラインガイドに近づく方向の移動成分を含んで前記第２の位置から前記第１の位置に移動することを特徴とする。
【００２６】
この魚釣用リールによれば、ピラーは、第１の位置から第２の位置に移動する釣糸放出時において、第１の位置から退避しつつスプールに近づくようにして第２の位置に移動する。
また、ピラーは、第２の位置から第１の位置に移動する釣糸巻き取り時において、第２の位置から離れつつラインガイドに近づくようにして第１の位置に移動する。
【００２７】
また、本発明は、前記傾斜面は直線状を呈しており、その傾斜角度は、水平面に対して１〜３０度であることを特徴とする。
【００２８】
この魚釣用リールによれば、下方向に移動するピラーにより、直線状を呈する傾斜面を通じてラインガイドの下部内面中央部に釣糸が誘導される。
また、傾斜面の傾斜角度が水平面に対して１〜３０度であるので、釣糸放出に好ましい横長の開口スペースを好適に確保することができる。
【００２９】
また、本発明は、前記釣糸挿通孔が、水平面に対して平行な上部内面を有しており、左右開口幅が上下開口高さに比べて大きく形成されて、左右方向に横長形状とされていることを特徴とする。
【００３０】
この魚釣用リールによれば、釣糸挿通孔が、水平面に対して平行な上部内面を有しており、左右開口幅が上下開口高さに比べて大きく形成されて、左右方向に横長形状とされているので、釣糸放出時における水平方向（左右方向）の放出抵抗を可及的に小さくすることができる。
【００３１】
前記ピラーは、釣糸の巻き取り方向および放出方向に沿って回転可能に支持されていることを特徴とする。
【００３２】
この魚釣用リールによれば、釣糸巻き取り時の巻き取り抵抗および釣糸放出時の放出抵抗が低減される。
【００３３】
また、本発明は、前記ピラーは、釣糸を軸回りに囲う枠状とされていることを特徴とする。
【００３４】
この魚釣用リールによれば、釣糸放出時において釣糸が仮に左右方向に暴れたとしても、これを枠状のピラーで好適に抑えることができる。
【００３５】
また、本発明は、前記ピラーは、上枠と下枠と左右枠とを備え、前記上枠は、前記ピラーが前記第１の位置に移動した際に、前記釣糸挿通孔の前記下部内面中央部に釣糸を誘導し、当該下部内面中央部に釣糸を保持するようになっており、前記下枠は、前記ピラーが前記第２の位置に移動した際に、前記釣糸挿通孔の前記下部内面中央部から上方へ釣糸を誘導し、当該下部内面中央部から釣糸を離脱させることを特徴とする。
【００３６】
この魚釣用リールによれば、ピラーを第１の位置に移動させると、上枠が、釣糸挿通孔の下部内面中央部に釣糸を誘導し、当該下部内面中央部に釣糸が保持される。
また、ピラーを第２の位置に移動させると、下枠が、釣糸挿通孔の下部内面中央部から上方へ釣糸を誘導し、当該下部内面中央部から釣糸が離脱される。
【００３７】
また、本発明は、前記リール本体の下端部を基準として、前記下端部から前記スプールの釣糸巻回位置までの高さをｈ１、前記下端部から前記ピラーの釣糸案内部までの高さをｈ２、前記下端部から前記釣糸挿通孔の上部内面までの高さをｈ３、前記下端部から前記釣糸挿通孔の下部内面中央部までの高さをｈ４、としたときに、
釣糸巻き取り時の関係が、
ｈ１  ≧  ｈ３  ＞  ｈ２  かつ、  ｈ４  ≧  ｈ２  であり、
釣糸放出時の関係が、ｈ１  ≧  ｈ３  かつ、  ｈ２  ＞  ｈ３  である、
ことを特徴とする。
【００３８】
この魚釣用リールによれば、釣糸巻き取り時において、リール本体の下端部を基準として、スプールの釣糸巻回位置までの高さｈ１以下となるように、釣糸挿通孔の上部内面までの高さｈ３が設定され、さらにこの高さｈ３よりも低くなるようにピラーの釣糸案内部までの高さｈ２が設定されている。そして、さらに、ピラーの釣糸案内部までの高さｈ２は、釣糸挿通孔の下部内面中央部までの高さｈ４以下となるように設定されている。
また、釣糸放出時において、リール本体の下端部を基準として、スプールの釣糸巻回位置までの高さｈ１以下となるように、釣糸挿通孔の上部内面までの高さｈ３が設定され、かつ、ピラーの釣糸案内部までの高さｈ２が釣糸挿通孔の上部内面までの高さｈ３よりも大きくなるように設定されている。
【発明の効果】
【００３９】
本発明によれば、ラインガイドに設けられた釣糸挿通孔が、繰り出される釣糸の移動方向に沿う左右方向に横長形状とされており、釣糸放出時（クラッチＯＦＦの状態にしたときや、クラッチＯＮの状態でドラグフリー状態にしたとき）には、釣糸挿通孔内を釣糸が左右方向に繰り出し位置を変えながら通過することとなるので、釣糸挿通孔の内面と釣糸との接触抵抗（送出抵抗）が小さくなり、スムーズな釣糸の放出を実現することができる。
なお、釣糸放出時には、ピラーが上方向に移動して第１の位置から第２の位置に退避するので、ピラーによる制約を受けずに釣糸が放出されることとなり、スムーズな釣糸の放出を実現することができる。
これにより、釣糸の放出スピードが減速され難くなり、例えば、キャスティング時の投擲距離を伸ばすことができる。また、船釣り等においては、仕掛け落下のスピードを上げることができる。
【００４０】
また、釣糸巻き取り時には、第１の位置に移動したピラーにより、釣糸挿通孔の下部内面中央部に釣糸が保持され、左右方向の移動が規制された状態で釣糸が位置決めされることとなるので、左右方向に往復動する釣糸案内体を介してスプールの左右に釣糸が均等に振分けられ、スプールに釣糸が均一かつ平行（平坦）に巻き取られる。これにより、スムーズな釣糸の巻き取りを実現することができる。
なお、横長形状とされた釣糸挿通孔内を通じて釣糸が放出されるので、放出時に釣糸が暴れてもこれを好適に抑えることができ、糸絡み等のトラブルの発生率を好適に低減することができる。
【００４１】
また、釣糸挿通孔の下部内面中央部に釣糸案内溝が形成された構成では、釣糸巻き取り時に、釣糸案内溝内に釣糸が保持されることとなるので、釣糸挿通孔内における釣糸の保持範囲が精度よく管理されることとなり、スプールに釣糸が均一かつ平行（平坦）に巻回されることとなる。したがって、スムーズな釣糸の巻き取りを実現することができる。
【００４２】
また、クラッチレバーの切り換え操作に連動してピラーが第１の位置または第２の位置に移動する構成では、釣糸放出（仕掛けの投入）から釣糸巻き取りまでの一連の操作をスムーズに行うことができ、操作性に優れ、釣果の向上を期待できる魚釣用リールが得られる。
【００４３】
また、ピラーがサムレストの上下方向の移動とともに一体に動くようにされた構成では、釣糸放出（仕掛けの投入）から釣糸巻取までの一連の操作をスムーズに行うことができ、操作性に優れ、釣果の向上を期待できる魚釣用リールが得られる。
さらに、サムレストがピラーの移動に邪魔にならず、ピラーの上下方向の移動量を大きく設定することができて、ラインガイドを上下方向（高さ方向）に大きく形成することも可能であるので、釣糸放出時に釣糸挿通孔の内面と釣糸との接触抵抗が小さくなる。これによって、スムーズな釣糸放出を実現することができる。
また、ピラーを下方向に移動させたときには、サムレストも下がるので、違和感なくパーミング（把持）しながら、釣糸の巻き取り操作を行うことができ、操作性に優れる。
【００４４】
また、クラッチレバーとは別個独立したピラー操作部が設けられた構成では、クラッチのＯＮ状態において、ドラグフリー状態にして釣糸を放出する（送り出す）場合に、ピラー操作部を操作することにより、ピラーを第２の位置に移動させることで釣糸放出時の抵抗が小さくなるようにすることができる。これにより、スムーズな釣糸の放出を実現することができる。
【００４５】
また、ピラーが、スプールとラインガイドとの間に配置されている構成では、釣糸放出時に釣糸が遠心力により仮に上下方向に膨らんでも（暴れても）、これをピラーで好適に抑えることができる。
【００４６】
また、スプールに近づく方向の移動成分、およびラインガイドに近づく方向の移動成分を含んでピラーが移動する構成では、第１の位置から第２の位置にピラーが移動する釣糸放出時に、ピラーはスプールに近づくこととなるので、釣糸放出時にスプールから繰り出される釣糸が、遠心力により仮に上下方向に膨らんでも（暴れても）、これをスプールに近づいたピラーで好適に抑えることができる。
また、第２の位置から第１の位置にピラーが移動する釣糸巻き取り時に、ピラーはラインガイドに近づくこととなるので、ラインガイドに近づいた位置で釣糸挿通孔の下部内面中央部に釣糸を好適に誘導して当該下部内面中央部に釣糸を好適に保持することができる。これによって、より一層、左右方向の移動が規制された状態で釣糸が位置決めされることとなり、左右方向に往復動する釣糸案内体を介してスプールの左右に釣糸が均等に振分けられ、スプールに釣糸をより均一かつ平行（平坦）に巻回することができる。
【００４７】
また、傾斜面が直線状を呈しており、その傾斜角度が、水平面に対して１〜３０度である構成では、釣糸放出に好ましい横長の開口スペースを好適に確保することができるので、スムーズな釣糸の放出を実現することができる。
そして、傾斜角度が、水平面に対して１〜３０度であるので、ピラーが下方向に移動する際に釣糸が釣糸挿通孔の下部内面中央部に好適に誘導されるようになり、当該下部内面中央部に好適に釣糸が保持される。したがって、スムーズな釣糸の巻き取りを実現することができる。
特に、傾斜角度を５度以上とすることで、強風時やリール本体を傾斜させた状態においても、釣糸挿通孔の下部内面中央部に釣糸を好適に誘導することができ、当該下部内面中央部により好適に釣糸を保持することができる。したがって、よりスムーズな釣糸の巻き取りを実現することができる。
また、傾斜角度を１５度以下とすることで、釣糸挿通孔の横長の領域において高さ方向のスペースが確保し易くなり、釣糸放出時の放出抵抗を可及的に小さくすることができ、これによって、スムーズな釣糸の放出を実現することができる。
また、サムレストを備えた構成においては、サムレストを低く形成したロープロファイルタイプへの利用も可能となる。
【００４８】
また、釣糸挿通孔が、水平面に対して平行な上部内面を有した構成では、釣糸放出時における水平方向（左右方向）の放出抵抗を可及的に小さくすることができるので、スムーズな釣糸の放出を実現することができる。また、釣糸放出時の釣糸の暴れを好適に抑えることが可能となり、よりスムーズな釣糸の放出を実現することができる。
【００４９】
さらに、ピラーが、回転可能に支持された構成では、釣糸巻き取り時の巻き取り抵抗および釣糸放出時の放出抵抗が低減されるので、スムーズな釣糸の巻き取りおよび放出を実現することができる。
また、ピラーが回転可能に支持されているので、釣糸に対して好適にテンションを付与することが可能であり、軽い仕掛けを用いた釣種においても、スプールに対して巻き崩れを生じることなく釣糸を巻回することができる。
【００５０】
また、ピラーが釣糸を軸回りに囲う枠状とされた構成では、釣糸放出時において釣糸が仮に左右方向に暴れたとしても、これを枠状のピラーで好適に抑えることができるので、スムーズな釣糸の放出を実現することができる。
【００５１】
また、ピラーが、上枠と下枠と左右枠とを備えた構成では、ピラーを第１の位置に移動させると、上枠が、釣糸挿通孔の下部内面中央部に釣糸を誘導し、当該下部内面中央部に釣糸が保持されるので、当該下部内面中央部に釣糸が好適に位置決めされ、スムーズな釣糸の巻き取りを実現することができる。
また、ピラーを第２の位置に移動させると、下枠が、釣糸挿通孔の下部内面中央部から上方へ釣糸を誘導し、当該下部内面中央部から釣糸が離脱されるので、下部内面中央部における制約を受けずに釣糸が放出されることとなる。したがって、スムーズな釣糸の放出を実現することができる。
【００５２】
また、釣糸巻き取り時において、リール本体の下端部を基準として、スプールの釣糸巻回位置までの高さｈ１以下となるように、釣糸挿通孔の上部内面までの高さｈ３が設定され、さらにこの高さｈ３よりも低くなるようにピラーの釣糸案内部までの高さｈ２が設定され、さらに、ピラーの釣糸案内部までの高さｈ２が、釣糸挿通孔の下部内面中央部までの高さｈ４以下となるように設定されている構成では、釣糸案内溝内に釣糸が確実に保持されるので、当該釣糸案内溝に釣糸が好適に位置決めされ、スムーズな釣糸の巻き取りが実現される。
また、釣糸放出時において、リール本体の下端部を基準として、スプールの釣糸巻回位置までの高さｈ１以下となるように、釣糸挿通孔の上部内面までの高さｈ３が設定され、かつ、ピラーの釣糸案内部までの高さｈ２が釣糸挿通孔の上部内面までの高さｈ３よりも大きくなるように設定されている構成では、ピラーをスプールとラインガイドとの間に配置することにより、スプールから繰り出される釣糸が遠心力により上下方向に膨らみを生じ易い部分において、釣糸の暴れを好適に抑えることができる。したがって、スムーズな釣糸の放出を実現することができる。
【図面の簡単な説明】
【００５３】
【図１】本発明の第１実施形態に係る魚釣用リールの構成を示す図であり、（ａ）は前面図、（ｂ）は上面図である。
【図２】（ａ）はリール本体の内部構造を示す上面図、（ｂ）ラインガイドとスプールとの関係を示す前面図、（ｃ）はラインガイドの詳細を示す前面図である。
【図３】（ａ）はリール本体の要部を示す縦断面図、（ｂ）はクラッチ機構を示す説明図である。
【図４】（ａ）〜（ｃ）は釣糸巻き取り時における各部の位置関係を示す説明図、（ｄ）〜（ｆ）は釣糸放出時における各部の位置関係を示す説明図である。
【図５】（ａ）〜（ｃ）は釣糸巻き取り時におけるラインガイドの位置を示す上面図、（ｄ）は釣糸放出時における釣糸の左右方向の動きを示す上面図である。
【図６】本発明の第２実施形態に係る魚釣用リールの構成を示す図であり、（ａ）は上面図、（ｂ）はピラー操作部の構成を示す説明図である。
【図７】本発明の第３実施形態に係る魚釣用リールの構成を示す図であり、（ａ）は前面図、（ｂ）は上面図である。
【図８】（ａ），（ｂ）は釣糸巻き取り時における各部の位置関係を示す説明図、（ｃ），（ｄ）は釣糸放出時における各部の位置関係を示す説明図である。
【図９】（ａ）はサムレストの構造を示した側断面図、（ｂ）は図９（ａ）におけるＡ−Ａ線模式断面図である。
【図１０】本発明の第４実施形態に係る魚釣用リールの構成を示す図であり、（ａ）は前面図、（ｂ）は上面図である。
【図１１】（ａ），（ｂ）は釣糸巻き取り時における各部の位置関係を示す説明図、（ｃ），（ｄ）は釣糸放出時における各部の位置関係を示す説明図である。
【図１２】本発明の第５実施形態に係る魚釣用リールの構成を示す図であり、（ａ）は前面図、（ｂ）は上面図である。
【図１３】（ａ），（ｂ）は釣糸巻き取り時における各部の位置関係を示す説明図、（ｃ），（ｄ）は釣糸放出時における各部の位置関係を示す説明図である。
【図１４】（ａ）〜（ｃ）は変形例に係るラインガイドを示す説明図である。
【発明を実施するための形態】
【００５４】
以下、本発明に係る魚釣用リールの実施形態について図面を参照しながら説明する。なお、以下の説明において、「前後」「左右」「上下」を言うときは、図１に示した方向を基準とする。なお、説明において、同一の要素には同一の符号を用い、重複する説明は省略する。
【００５５】
（第１実施形態）
図１に示すように、魚釣用リールのリール本体１は、釣糸が巻回されるスプール５を回転可能に支持した左右側板２Ａ，２Ｂを備え、図２（ａ）に示すように、右側板２Ｂに設けた駆動機構１０と、スプール５の前方において、駆動機構１０のハンドル軸７ａの回転操作に連動して左右方向に往復動可能に設けられ、スプール５に釣糸を平行に巻回する釣糸案内体２２と、この釣糸案内体２２に設けられたラインガイド２３と、を備えている。
そして、ラインガイド２３の後方における近傍位置には、スプール５の軸線に沿う釣糸案内部３１（図２（ｂ）参照）を備えたピラー３０が上下方向に移動可能に設けられている。
ここで、リール本体１の「側板」は、図１（ｂ）に示すように、スプール５の軸方向の両端に位置する部材であり、本実施形態では、各種部材が支持されるフレーム体を構成する左右フレーム２ａ，２ｂと、これら左右フレーム２ａ，２ｂに所定の空間をもって夫々装着される左右外側板（カバー体）３ａ，３ｂとから構成される。左右フレーム２ａ，２ｂと左右外側板３ａ，３ｂとの間には内部空間が形成され、この内部空間には、図２（ａ）に示すように、駆動機構１０、クラッチ機構５０（図３（ｂ）参照）、図示しないバックラッシュ防止機構７０（図２（ａ）参照）等が設置されるようになっている。なお、左右フレーム２ａ，２ｂと外側板３ａ，３ｂとの形状については、適宜変形することが可能であり、それらを構成する材料は適宜設定することができる。また、これらの装着方法や装着位置についても、リール本体１の構成等により、種々の方法を用いることが可能である。
【００５６】
左右フレーム２ａ，２ｂは、複数の支柱を介して一体化されており、図１（ａ）に示すように、下部の支柱２ｃには、釣竿のリールシート（不図示）に装着される釣竿取付脚１ａが設けられている。
また、左右フレーム２ａ，２ｂ間には、図２（ａ）に示すように、軸受５ａ，５ｂを介してスプール軸５ｃが回転可能に支持されており、このスプール軸５ｃにスプール５が取り付けられている。
スプール５は、ハンドル７を回転操作することによって回転させることができるように構成されており、ハンドル７は、外側板３ｂから突出したハンドル軸７ａの端部に取り付けられ、外側板３ｂとの間に介在された逆転防止機構７ｂ（転がり式一方向クラッチ）によって、釣糸巻き取り方向にのみ回転可能となっている。
なお、スプール軸５ｃを回転可能に支持する軸受５ａ，５ｂは、左右フレーム２ａ，２ｂの部分に配設されていてもよいし、外側板３ａ，３ｂの部分に配設されていてもよい。
【００５７】
右フレーム２ｂと外側板３ｂとの間には、ハンドル７の回転運動をスプール軸５ｃ、および後記するレベルワインド機構２０の螺軸２１に伝達する駆動機構１０、駆動力の伝達を継脱するクラッチ機構５０（図３（ｂ）参照）のほか、魚釣時にスプール５から釣糸が繰り出された際に、スプール５にドラグ力を付与するドラグ機構６０等が収容されている。
【００５８】
駆動機構１０は、公知のように、ハンドル軸７ａに回転可能に支持された駆動歯車１１と、この駆動歯車１１に噛合するピニオン１２とを備えている。ピニオン１２は、スプール軸５ｃと同軸上に設置されており、ピニオン軸１２ｃに沿って軸方向に移動可能となっている。また、ピニオン１２の外周には、円周溝１２ａが形成されており、この円周溝１２ａに、クラッチ機構５０のヨーク５７（図３（ｂ）参照）が係合して、ピニオン１２を軸方向に移動させるようになっている。すなわち、ピニオン１２が軸方向に移動することで、スプール軸５ｃとの間で継脱がなされ、動力伝達状態（クラッチＯＮ状態）／動力遮断状態（クラッチＯＦＦ状態）に切り換えられるようになっている。
【００５９】
スプール５の前方において、リール本体１の左右側板２Ａ，２Ｂ間には、レベルワインド機構２０が配置されている。レベルワインド機構２０は、駆動機構１０を介して回転駆動される螺軸２１と、螺軸２１に装着されて左右方向に往復動可能に設けられた釣糸案内体２２とを備えている。
螺軸２１は、左右側板２Ａ，２Ｂ間に回転可能に支持されており、駆動機構１０を介して回転駆動されるようになっている。螺軸２１の端部には、連動歯車２１ａが取り付けられており、この連動歯車２１ａには、ハンドル軸７ａの駆動歯車１１に隣接して設けられた歯車１１ａが噛合している。これにより、ハンドル７を巻き取り回転操作すると、ハンドル軸７ａの回転が、歯車１１ａおよび連動歯車２１ａを通じて螺軸２１に伝わり、螺軸２１が回転駆動される。
【００６０】
螺軸２１の外周面には、螺旋溝２１ｂが形成されており、この螺旋溝２１ｂには、釣糸案内体２２に設けられた摺動子２６（図３（ａ）参照、以下同じ）が係合している。このような螺軸２１は、左右側板２Ａ，２Ｂ間に架け渡された筒体２５（図３（ａ）参照、以下同じ）内に収容されている。
筒体２５は、図３（ａ）に示すように、断面Ｃ字形状を呈して軸方向に延出する開口２５ａを有しており、この開口２５ａを通じて螺旋溝２１ｂが部分的に露出している。
【００６１】
また、釣糸案内体２２は、樹脂で形成され、左右側板２Ａ，２Ｂ間において、螺軸２１と平行に設けられたガイド軸２２ａに支持されており、下部が筒体２５を囲繞するようにしてこれに回り止め保持されている。そして、釣糸案内体２２の下部には、筒体２５の開口２５ａを通じて前記したように螺旋溝２１ｂと係合する摺動子２６が配置されている。なお、摺動子２６は、袋ナット２６ａによって釣糸案内体２２に固定されている。
これにより、釣糸案内体２２は、螺軸２１が連動歯車２１ａによって回転駆動されることで、螺旋溝２１ｂに係合する摺動子２６を介してガイド軸２２ａに沿って左右往復動するようになっている。
【００６２】
釣糸案内体２２の上部には、釣糸を案内するためのラインガイド２３が設けられている。
ラインガイド２３には、釣糸挿通孔２４が形成されている。釣糸挿通孔２４は、図２（ｂ）に示すように、前方から見て、スプール５の軸線Ｏ１に沿うようにして左右方向に横長形状とされており、図２（ｃ）に示すように、左右開口幅D１が上下開口高さＨ１（釣糸挿通孔２４の中央部における最大開口高さ）に比べて、大きくなるように形成されている。
釣糸挿通孔２４の上部内面２４ａは、水平面に対して平行とされており、この上部内面２４ａに連続する左右内面２４ｂ，２４ｂは、それぞれ鉛直面とされている。また、これらの左右内面２４ｂ，２４ｂに連続する下部内面２４ｃは、釣糸挿通孔２４の下部内面中央部２４ｃ’に向けて緩やかに直線状に下る傾斜面（凹凸のない面）とされている。
【００６３】
ここで、下部内面２４ｃの傾斜角度θは、図２（ｃ）に示すように、水平面に対して１〜３０度の範囲に設定されるのが好ましく、より好ましくは、５〜１５度の範囲に設定されるのがよい。
また、下部内面２４ｃは、前後方向にも直線状（凹凸のない面）に形成されている。
なお、釣糸挿通孔２４の上部内面２４ａと左右内面２４ｂ，２４ｂとの角部、左右内面２４ｂ，２４ｂと下部内面２４ｃとの角部は、いずれもアール状とされている。
なお、下部内面２４ｃは、左右方向に直線状とされたものに限られることはなく、左右方向に湾曲状（湾曲凸条、湾曲凹状）、左右方向に複数の直線を組み合わせた形状、さらに、左右方向に直線と曲線とを組み合わせた形状等、種々採用することができる。
また、下部内面２４ｃは、必ずしも前後方向に直線状を有しなくてもよいが、本実施形態のように、直線状として前後方向に奥行きをもたせることで、よりスムーズに釣糸を下部内面中央部２４ｃ’に導くことが可能となる。
【００６４】
下部内面２４ｃの中央部（下部内面中央部２４ｃ’）には、釣糸巻き取り時に釣糸を保持する釣糸案内溝２４ｄが形成されている。釣糸案内溝２４ｄは、下部内面２４ｃの中央部から下方へ向けて湾曲凹状に切り欠かれた溝であり、図３（ａ）に示すように、釣糸挿通孔２４内において前後方向に延設されている。釣糸案内溝２４ｄ内には、後記するクラッチレバー５３の操作時に、下方へ向けて移動してきたピラー３０によって、釣糸挿通孔２４内を下部内面２４ｃ（図２（ｂ）参照）を通じて下部内面中央部２４ｃ’に向けて誘導されてきた釣糸が挿入されるようになっている（図４（ａ）〜（ｃ）参照）。
【００６５】
このような釣糸挿通孔２４が形成されたラインガイド２３は、左右方向に横長形状とされているので、釣糸巻き取り時のハンドル７の回転操作により、ガイド軸２２ａ（図３（ａ）参照）に沿って左右往復動された際に、図５（ｂ）（ｃ）に示すように、その左側部２３ａおよび右側部２３ｂが左右フレーム２ａ，２ｂに掛かる位置まで移動するようになっている。このようなラインガイド２３の移動を可能とするために、リール本体１のサムレスト４の前端左右には、図１（ａ）（ｂ）に示すように、切欠部４ａ，４ｂが形成されている。
【００６６】
ピラー３０は、図１（ａ）（ｂ）、図３（ａ）に示すように、円柱状の棒状部材であり、スプール５とラインガイド２３との間において、ラインガイド２３の後方の近傍位置で、上下方向に移動可能に配置されている。
ピラー３０は、図３（ｂ）に示すように、クラッチ機構５０のクラッチ駆動部材５１に一体的に設けられた腕部５１ａに対して一端部が支持されており、後記するようにクラッチ駆動部材５１が駆動されることにより、左右フレーム２ａ，２ｂに形成された湾曲長溝２ａ’，２ｂ’（図３（ａ）参照、一方のみ図示）に沿うようにして上下方向に移動可能に設けられている。
ピラー３０は、図２（ｂ）に示すように、スプール５の軸線Ｏ１に沿う釣糸案内部３１（下部外周面、図３（ａ）参照）を備えており、スプール５とラインガイド２３との間において、この釣糸案内部３１で釣糸を押下可能である。
なお、ピラー３０は、円柱状の棒状部材とされたものに限られることはなく、釣糸を押下可能な釣糸案内部３１を有する板状としてもよい。また、釣糸案内部３１としては、左右方向に直線状とされたものに限られることはなく、左右方向に傾斜する直線状、湾曲状（湾曲凸条、湾曲凹状）、左右方向に複数の角度の直線を例えば連続して組み合わせた形状、左右方向に直線と曲線とを組み合わせた形状等としてもよい。
【００６７】
このようなピラー３０は、クラッチ機構５０により、スプール５に対する釣糸の巻き取りを可能にするクラッチＯＮ状態（釣糸巻き取り時）で下方向に移動するようになっており、その際に、釣糸挿通孔２４内に挿通された釣糸を下部内面中央部２４ｃ’に誘導し、当該下部内面中央部２４ｃ’（釣糸案内溝２４ｄ）に釣糸を保持する第１の位置を採るようになっている。また、ピラー３０は、スプール５から釣糸の繰り出しを可能にするクラッチＯＦＦ状態（釣糸放出時）で上方向に移動するようになっており、その際に第１の位置から退避して前記した釣糸の保持を解除する第２の位置を採るようになっている。
【００６８】
ここで、ピラー３０は、図３（ａ）に示すように、スプール軸５ｃの軸心Ｏ２を通る水平面（不図示）よりも上方となる領域において、上下移動可能に設けられており、これによって、第１の位置から第２の位置に向かう上方向の移動時には、上方向の移動成分とともに後方のスプール５に近づく方向の移動成分を含んで移動するようになっている。
また、第２の位置から第１の位置に向かう下方向の移動時には、下方向の移動成分とともに前方のラインガイド２３に近づく方向の移動成分を含んで移動するようになっている。
【００６９】
本実施形態では、クラッチ駆動部材５１の腕部５１ａに対して、ピラー３０が軸受３０ａ，３０ｂ（図１（ｂ）参照）を介して軸回りに回動可能に支持されており、釣糸巻き取り時の巻き取り抵抗および釣糸放出時の放出抵抗が低減されるようになっている。
【００７０】
クラッチ機構５０は、図３（ｂ）に示すように、右フレーム２ｂに沿って回動可能に支持されたクラッチ駆動部材５１と、このクラッチ駆動部材５１を駆動するクラッチレバー５３とを含んで構成されている。
【００７１】
クラッチ駆動部材５１は、公知のように、右フレーム２ｂに対して回動可能に支持され、振分けバネ５６によって、図３（ｂ）において実線で示した動力伝達状態（クラッチＯＮ状態）と、図３（ｂ）において二点鎖線で示した動力遮断状態（クラッチＯＦＦ状態）とに振分け保持されるようになっている。また、クラッチ駆動部材５１の表面には、ピニオン１２（図２（ａ）参照、以下同じ）の円周溝１２ａ（図２（ａ）参照）に嵌合したヨーク５７と係合可能な一対のカム面５８，５８が形成されている。
そして、クラッチ駆動部材５１の前部には、前方へ向けて延設された腕部５１ａが一体的に設けられており、この腕部５１ａの先端部に、前記したようにピラー３０の一端部が支持されている。
【００７２】
ヨーク５７の先端側は、右フレーム２ｂに突設された支持ピン５９，５９によって保持されており、ヨーク５７は、各支持ピン５９，５９に配設されたバネ部材（図示せず）によって常時、クラッチ駆動部材５１側に付勢された状態となっている。なお、図３（ｂ）では、ヨーク５７が不図示のバネ部材によってクラッチ駆動部材５１側に付勢された状態を示しており、このとき、ピニオン１２は、スプール軸５ｃの端部に形成されている係合部に嵌合してクラッチＯＮ状態となっている。
【００７３】
クラッチ駆動部材５１の後端部は、支持部材５３ａを介してクラッチレバー５３と連結されており、図３（ｂ）において矢印Ｘ１で示すように、クラッチレバー５３が押下げ操作されると、クラッチ駆動部材５１は、図中反時計回り方向に回動され、ヨーク５７を介して、ピニオン１２をスプール軸５ｃの端部に形成されている係合部から離脱させる（クラッチＯＦＦ状態に切り換える）ように作用する。また、この状態は、振分けバネ５６によって保持される。
また、このようなクラッチレバー５３の押下げ操作によって、クラッチ駆動部材５１が図中反時計回り方向に回動されると、腕部５１ａの先端部が上方向に移動し、これによって、ピラー３０が上方向に移動して第２の位置に配置される。
つまり、クラッチレバー５３を操作することで、クラッチ駆動部材５１は、クラッチＯＮ状態（釣糸巻き取り位置）と、クラッチＯＦＦ状態（釣糸放出位置）と、に位置決めされるようになっており、この位置決めに連動して、ピラー３０が第１の位置と第２の位置とに位置決めされるようになっている。
【００７４】
次に、スプール５、ピラー３０および釣糸挿通孔２４の高さの関係について、図４を参照して説明する。
図４（ａ）〜（ｃ）は釣糸巻き取り時における各部の位置関係を示した図であり、クラッチ機構５０（図３（ｂ）参照）が動力伝達状態（クラッチＯＮ状態）とされて、ピラー３０が第１の位置に配置されている状態を示している。
【００７５】
ここで、リール本体１の釣竿取付脚１ａの下面を基準として、スプール５の釣糸巻回位置５ｅまでの高さをｈ１、ピラー３０の釣糸案内部３１（図３（ａ）参照、以下同じ）までの高さをｈ２、釣糸挿通孔２４の上部内面２４ａ（図２（ｃ）参照、以下同じ）までの高さをｈ３、釣糸挿通孔２４の下部内面中央部２４ｃ’までの高さをｈ４、としたときに、釣糸巻き取り時には、次式（１）かつ（２）の関係を有するように設定されている。
なお、釣糸巻回位置は、通常、規定の釣糸量を巻いたときの外径に相当しており、また、その位置が明確でない場合においては、スプールの最大外径（＝フランジ５ｄの外径）の９８％で定義される径位置とする。
ｈ１  ≧  ｈ３  ＞  ｈ２        ・・・（１）
ｈ４  ≧  ｈ２                  ・・・（２）
【００７６】
すなわち、釣糸巻き取り時においては、リール本体１の下端部を基準として、スプール５の釣糸巻回位置５ｅまでの高さｈ１以下となるように、釣糸挿通孔２４の上部内面２４ａまでの高さｈ３が設定され、さらにこの高さｈ３よりも低くなるようにピラー３０の釣糸案内部３１までの高さｈ２が設定されている。そして、さらに、ピラー３０の釣糸案内部３１までの高さｈ２は、釣糸挿通孔２４の下部内面中央部２４ｃ’までの高さｈ４以下となるように設定されている。
これにより、ピラー３０は、第１の位置に移動されると、釣糸挿通孔２４の上部内面２４ａよりも低い位置において、下部内面中央部２４ｃ’と同じかあるいはこれよりもさらに低くなる位置に釣糸案内部３１が位置する状態となる。
【００７７】
したがって、クラッチレバー５３の操作やハンドル７の操作によってクラッチＯＦＦ状態からクラッチＯＮ状態に切り換えられると、第２の位置から第１の位置にピラー３０が移動する過程で釣糸案内部３１により釣糸が押し下げられ、その際に、釣糸は、釣糸挿通孔２４の下部内面２４ｃに沿って傾斜面を下部内面中央部２４ｃ’に向けて移動する。そして、ピラー３０が第１の位置まで移動されることで、釣糸案内溝２４ｄ内に釣糸が誘導される。これによって、釣糸は釣糸案内溝２４ｄ内に好適に保持される。
【００７８】
このように、釣糸案内溝２４ｄ内に釣糸が保持された状態で、前記式（１）（２）により、釣糸には、ピラー３０の釣糸案内部３１による押圧でテンションが付与された状態となる。したがって、釣糸巻き取り時には、ピラー３０で押さえられて釣糸が暴れ難くなり、これによって、釣糸案内溝２４ｄ内から釣糸が外れ難くなる。
【００７９】
ここで、リール本体１の下端部を基準として、釣糸案内溝２４ｄの底部までの高さをｈ０とすると、釣糸巻き取り時には、次式（３）の関係を有するように設定されることが特に好ましい。
ｈ４  ≧  ｈ２  ＞  ｈ０        ・・・（３）
【００８０】
この場合には、釣糸挿通孔２４の下部内面中央部２４ｃ’までの高さｈ４以下となるように、ピラー３０の釣糸案内部３１までの高さｈ２が設定され、さらにこの高さｈ２よりも低くなるように釣糸案内溝２４ｄの底部までの高さｈ０が設定されることとなる。これによって、ピラー３０は、第１の位置に移動されると、釣糸挿通孔２４の下部内面中央部２４ｃ’と同じかまたはそれよりも低い位置において、釣糸案内溝２４ｄの底部よりも高い位置に釣糸案内部３１が位置する状態となる。
したがって、釣糸案内溝２４ｄ内に釣糸が確実に保持されるようになり、釣糸案内溝２４ｄ内から釣糸がより一層外れ難くなる。
なお、軽い仕掛けを使用する釣種の場合には、大きなテンションを釣糸に付与したいので、  ｈ２  ≦  ｈ０  としてもよい。
【００８１】
一方、図４（ｄ）〜（ｆ）は釣糸放出時における各部の高さの関係を示した図であり、クラッチ機構５０（図３（ｂ）参照）が動力遮断状態（クラッチＯＦＦ状態）とされて、ピラー３０が第２の位置に配置されている状態を示している。
ここで、釣糸放出時には、次式（４）かつ（５）の関係を有するように設定されている。
ｈ１  ≧  ｈ３                  ・・・（４）
ｈ２  ＞  ｈ３                  ・・・（５）
【００８２】
すなわち、釣糸放出時において、リール本体１の下端部を基準として、スプール５の釣糸巻回位置５ｅまでの高さｈ１以下となるように、釣糸挿通孔２４の上部内面２４ａまでの高さｈ３が設定され、かつ、ピラー３０の釣糸案内部３１までの高さｈ２が釣糸挿通孔２４の上部内面２４ａまでの高さｈ３よりも大きくなるように設定されている。
これにより、ピラー３０は、第２の位置に移動されると、スプール５の釣糸巻回位置５ｅと同じかまたはこれよりも低い位置において、釣糸挿通孔２４の上部内面２４ａよりも高い位置に釣糸案内部３１が位置する状態となる。
【００８３】
したがって、クラッチレバー５３の操作によってクラッチＯＮ状態からクラッチＯＦＦ状態に切り換えられると、第１の位置から第２の位置にピラー３０が移動して退避される過程で、釣糸案内溝２４ｄ内における釣糸の保持が解除され、前記式（４）の関係により、釣糸挿通孔２４の上部の横長のスペースに釣糸が移動することとなる。したがって、スムーズな釣糸の放出を行うことができる。
また、第２の位置にピラー３０が移動した状態では、前記式（４）（５）の関係から、ピラー３０の釣糸案内部３１が、釣糸挿通孔２４の上部内面２４ａとスプール５の釣糸巻回位置５ｅとの間に架け渡された釣糸の上方に間隔を隔てて位置することとなる。したがって、スプール５から繰り出される釣糸にピラー３０が接触せず、これによって、スムーズな釣糸の放出を行うことができる。
【００８４】
なお、釣糸巻き取り時には、図５（ａ）〜（ｃ）に示すように、ハンドル７の巻き取り回転操作により、ラインガイド２３が左右方向に往復移動し、ラインガイド２３の釣糸案内溝２４ｄに挿通保持された釣糸が、ピラー３０を介してスプール５に略平行に巻回される。
【００８５】
本実施形態では、ラインガイド２３の釣糸案内溝２４ｄが、スプール５の巻回幅いっぱいに往復移動して、釣糸をスプール５に案内するように位置調整されている。
その際、ラインガイド２３は、図５（ｂ）（ｃ）に示すように、その左側部２３ａおよび右側部２３ｂが、左右フレーム２ａ，２ｂに掛かる位置まで移動し、リール本体１のサムレスト４の前端左右に形成された切欠部４ａ，４ｂに逃がされる。
これによって、横長形状とされたラインガイド２３の左右方向の往復移動が確保され、釣糸案内溝２４ｄがスプール５の巻回幅いっぱいに往復移動可能となる。
【００８６】
また、釣糸放出時には、図５（ｄ）に示すように、ラインガイド２３の釣糸挿通孔２４の左右開口の範囲内で釣糸が放出可能である。
なお、図５（ｄ）では、ラインガイド２３が略中央に位置した場合を示したが、図５（ｂ）に示すように、左端にラインガイド２３が移動した場合や、図５（ｃ）に示すように、右端にラインガイド２３が移動した場合においても、ラインガイド２３の釣糸挿通孔２４の略半分の開口領域がスプール５の軸方向の巻回範囲に対応したものとなっているので、スムーズな釣糸の繰り出しが可能である。
【００８７】
以上説明した本実施形態の魚釣用リールによれば、ラインガイド２３に設けられた釣糸挿通孔２４が、繰り出される釣糸の移動方向に沿う左右方向に横長形状とされており、釣糸放出時（クラッチＯＦＦの状態にしたときや、クラッチＯＮの状態でドラグフリー状態にしたとき）には、釣糸挿通孔２４内を釣糸がスプール５の幅内から左右方向に繰り出し位置を変えながら通過することとなるので、釣糸挿通孔２４の内面と釣糸との接触抵抗（送出抵抗）が小さくなり、スムーズな釣糸の放出を実現することができる。
なお、釣糸放出時には、ピラー３０が上方向に移動して第１の位置から第２の位置に退避するので、ピラー３０による制約を受けずに釣糸が放出されることとなり、スムーズな釣糸の放出を実現することができる。
これにより、釣糸の放出スピードが減速され難くなり、例えば、キャスティング時の投擲距離を伸ばすことができる。また、船釣り等においては、仕掛け落下のスピードを上げることができる。
【００８８】
また、釣糸巻き取り時には、第１の位置に移動したピラー３０により、釣糸挿通孔２４の下部内面中央部２４ｃ’に釣糸が保持され、左右方向の移動が規制された状態で釣糸が位置決めされることとなるので、左右方向に往復動する釣糸案内体２２を介してスプール５の左右に釣糸が均等に振分けられ、スプール５に釣糸が均一かつ平行（平坦）に巻回される。これにより、スムーズな釣糸の巻き取りを実現することができる。
なお、横長形状とされた釣糸挿通孔２４内を通じて釣糸が放出されるので、放出時に釣糸が暴れてもこれを好適に抑えることができ、糸絡み等のトラブルの発生率を好適に低減することができる。
【００８９】
また、釣糸巻き取り時に、釣糸案内溝２４ｄ内に釣糸が保持されるので、釣糸挿通孔２４内における釣糸の保持範囲が精度よく管理されることとなり、スプール５に釣糸が均一かつ平行（平坦）に巻回されることとなる。したがって、スムーズな釣糸の巻き取りを実現することができる。
【００９０】
また、クラッチレバー５３の切り換え操作に連動してピラー３０が第１の位置または第２の位置に移動するようになっているので、釣糸放出（仕掛けの投入）から釣糸巻き取りまでの一連の操作をスムーズに行うことができ、操作性に優れ、釣果の向上を期待できる魚釣用リールが得られる。
【００９１】
また、ピラー３０が、スプール５とラインガイド２３との間に配置されているので、釣糸放出時に釣糸が遠心力により仮に上下方向に膨らんでも（暴れても）、これをピラー３０で好適に抑えることができる。
【００９２】
また、ピラー３０は、第１の位置から第２の位置に移動する釣糸放出時に、スプール５に近づく方向の移動成分を含んで移動するので、スプール５から繰り出される釣糸が遠心力により仮に上下方向に膨らんでも（暴れても）、これをスプール５に近づいたピラー３０で好適に抑えることができ、スムーズな釣糸の放出を実現することができる。
さらに、ピラー３０は、第２の位置から第１の位置に移動する釣糸巻き取り時に、釣糸挿通孔２４の下部内面中央部２４ｃ’に近づく方向の移動成分を含んで移動するので、釣糸挿通孔２４の下部内面中央部２４ｃ’に釣糸を好適に誘導して当該下部内面中央部２４ｃ’に釣糸を好適に保持することができる。これによって、より一層、左右方向の移動が規制された状態で釣糸がラインガイド２３（釣糸案内溝２４ｄ）に位置決めされることとなり、左右方向に往復動する釣糸案内体２２を介してスプール５の左右に釣糸が均等に振分けられ、スプール５に釣糸がより均一かつ平行（平坦）に巻回される。これにより、スムーズな釣糸の巻き取りを実現することができる。
【００９３】
また、釣糸挿通孔２４の下部内面２４ｃは直線状を呈しており、その傾斜角度が、水平面に対して１〜３０度であるので、釣糸放出に好適な横長の開口スペースを釣糸挿通孔２４において確保することができる。これにより、スムーズな釣糸の放出を実現することができる。
そして、傾斜角度が、水平面に対して１〜３０度であるので、ピラー３０が下方向に移動する際に釣糸が釣糸挿通孔２４の下部内面中央部２４ｃ’に好適に誘導されるようになり、当該下部内面中央部２４ｃ’に好適に釣糸を保持することができる。したがって、スムーズな釣糸の巻き取りを実現することができる。
特に、傾斜角度を５度以上とすることで、強風時やリール本体１を傾斜させた状態においても、釣糸挿通孔２４の下部内面中央部２４ｃ’に釣糸を好適に誘導することができ、当該下部内面中央部２４ｃ’により好適に釣糸を保持することができる。したがって、よりスムーズな釣糸の巻き取りを実現することができる。
また、傾斜角度を１５度以下とすることで、釣糸挿通孔２４における高さ方向の開口スペースを確保することができ、釣糸放出時のガイド抵抗をできるだけ小さなものとすることができて、スムーズな釣糸の放出を実現することができる。
また、サムレスト４を低く形成したロープロファイルタイプへの利用も可能となる。
【００９４】
また、釣糸挿通孔２４の上部内面２４ａが水平面に対して平行であるので、釣糸放出時における水平方向（左右方向）の放出抵抗を可及的に小さくすることができ、スムーズな釣糸の放出を実現することができる。また、釣糸放出時の釣糸の暴れを好適に抑えることができるので、よりスムーズな釣糸の放出が実現される。
【００９５】
さらに、ピラー３０が、回転可能に支持されているので、釣糸巻き取り時の巻き取り抵抗および釣糸放出時の放出抵抗が低減され、スムーズな釣糸の放出および巻き取りを実現することができる。
また、ピラー３０が、回転可能に支持されているので、釣糸に対して好適にテンションを付与することが可能であり、軽い仕掛けを用いた釣種においても、スプール５に対して巻き崩れを生じることなく釣糸を巻回することができる。
【００９６】
また、釣糸巻き取り時において、前記式（１）かつ（２）の関係を有するように設定されているので、釣糸案内溝２４ｄ内に釣糸が確実に保持され、釣糸案内溝２４ｄに釣糸が好適に位置決めされて、スムーズな釣糸の巻き取りを実現することができる。
また、釣糸放出時において、前記式（４）かつ（５）の関係を有するように設定されているので、釣糸が遠心力により上下方向に膨らみ易い部分において、釣糸の暴れを好適に抑えることができる。したがって、スムーズな釣糸の放出を実現することができる。
【００９７】
（第２実施形態）
図６（ａ）（ｂ）を参照して第２実施形態の魚釣用リールについて説明する。
本実施形態の魚釣用リールが前記第１実施形態と異なるところは、リール本体１に、クラッチレバー５３とは別個独立したピラー操作部３００Ａが設けられている点である。
【００９８】
ピラー操作部３００Ａは、図６（ｂ）に示すように、ピラー操作つまみ３００と、このピラー操作つまみ３００に連結された連結部材３０５と、この連結部材３０５の端部に連結された作動部材３０６とを備えている。
ピラー操作つまみ３００は、支持部３０３を中心として前後方向に揺動可能に設けられており、後端側に取り付けられた振分け付勢ばね３０４によって、前端部３０１が右フレーム２ｂに向けて押し下げられた状態と、後端部３０２が右フレーム２ｂに向けて押し下げられた状態とに振分け保持されるようになっている。
ピラー操作つまみ３００は、図６（ａ）に示すように、右フレーム２ｂの上面に沿うようにして配置されている。
【００９９】
連結部材３０５は、棒状の部材であり、図６（ｂ）に示すように、前端部３０１の下部に一端が連結され、他端が作動部材３０６に連結されている。
作動部材３０６は、長板状の部材であり、基端部が支軸３０７で支持され、支軸３０７を中心として回動可能に設けられている。作動部材３０６の先端部には、ピラー３０の一端部が支持されているとともに、作動部材３０６の略中央部には、連結部材３０５の他端が連結されている。
【０１００】
このようなピラー操作部３００Ａによれば、ピラー操作つまみ３００の前端部３０１を右フレーム２ｂに向けて押し下げ操作すると、その押し下げ操作に連動して連結部材３０５が下方向に移動し、この移動によって、作動部材３０６が支軸３０７を中心として下方向に回動する。
これにより、作動部材３０６に支持されているピラー３０も下方向に向けて移動し、その結果、第１の位置にピラー３０が移動する。
【０１０１】
一方、これとは逆に、ピラー操作つまみ３００の後端部３０２を右フレーム２ｂに向けて押し下げ操作すると、その押し下げ操作に連動して連結部材３０５が上方向に移動し、この移動によって、作動部材３０６が支軸３０７を中心として上方向に引っ張られるようにして回動する。
これにより、作動部材３０６に支持されているピラー３０も上方向に向けて移動し、その結果、第２の位置にピラー３０が移動する。
【０１０２】
このように、ピラー操作つまみ３００を前後に押し下げ操作することによって、ピラー３０を第１の位置および第２の位置に移動させることができる。
本実施形態では、ピラー操作部３００Ａが、クラッチレバー５３とは別個独立して設けられているので、通常であれば第１の位置にピラー３０が位置しているクラッチＯＮ状態においても、ピラー操作つまみ３００の後端部３０２を押し下げ操作することによって、ピラー３０を第１の位置から第２の位置に移動させることができる。
【０１０３】
したがって、本実施形態の魚釣用リールによれば、クラッチＯＮ状態において、ドラグフリー状態にして釣糸を放出する（繰り出す）場合に、ピラー操作つまみ３００を操作することにより、ピラー３０を第２の位置に移動させることで釣糸放出時の抵抗が小さくなるようにすることができる。これにより、スムーズな釣糸の放出を実現することができる。
【０１０４】
なお、クラッチレバー５３の切り換え操作に連動してピラー３０が作動するように構成し、これとともにピラー操作つまみ３００の操作によってもピラー３０が作動するように構成してもよい。
また、ピラー操作つまみ３００とクラッチレバー５３とを、連動状態と非連動状態とに切り換えられるように構成してもよい。
【０１０５】
（第３実施形態）
図７〜図９を参照して第３実施形態の魚釣用リールについて説明する。
本実施形態の魚釣用リールが前記第１，第２実施形態と異なるところは、リール本体１の上部の左右側板２Ａ，２Ｂ間に設けられたサムレスト４０が、クラッチレバー５３の切り換え操作に連動して上下方向に移動可能に設けられている点である。
【０１０６】
サムレスト４０の前部は、図７（ａ）（ｂ）に示すように、ラインガイド２３を覆うように前方へ向けて延設されており、その下面には、図８（ａ）（ｃ）に示すように、支持部４１を介してピラー３０が回転可能に支持されている。ピラー３０は、サムレスト４０を閉じた状態（先端を下方向へ回動して第１の位置にピラー３０を移動させた状態）で、図８（ａ）に示すように、ラインガイド２３の後方の近傍位置に配置されるようになっており、その位置で釣糸を押し下げて、釣糸案内溝２４ｄに釣糸を誘導するように構成されている。
【０１０７】
サムレスト４０の前端部４０ａは、下方へ向けて折曲されており、その先端下部には、図７（ａ）に示すように、釣糸挿通用の開口４０ｂが形成されている。この開口４０ｂは、サムレスト４０を閉じた状態（図８（ａ）参照）においても前方へ向けて開いており、釣糸巻き取り時における釣糸の挿通が可能となっている。
サムレスト４０の上面中央部には、図７（ｂ）に示すように、段差部４３が形成されており、この段差部４３を介してサムレスト４０の後部側が左右方向に幅狭に形成されている。そして後部側には、支持部材５３ａを介してクラッチレバー５３が連結されている。
サムレスト４０の中央部の下部には、図９（ａ）に示すように、円環部４４が一体的に設けられている。この円環部４４は、図９（ｂ）に示すように、左右フレーム２ａ，２ｂの内側に設けられた、スプール軸５ｃと同芯円環状の突設部４３ａ，４３ｂに対して外嵌可能であり、これらの突設部４３ａ，４３ｂに円環部４４，４４がそれぞれ外嵌されることで、サムレスト４０は、スプール軸５ｃ周りに回動可能に取り付けられ、クラッチレバー５３の切り換え操作に連動して（先端部側が）上下方向に移動可能に設けられている。
【０１０８】
そして、スプール５に対する釣糸の巻き取りを可能にするクラッチＯＮ状態にクラッチレバー５３を切り換え操作することにより、サムレスト４０が下方向へ移動し、この移動によりピラー３０が第１の位置に移動して、釣糸挿通孔２４の下部内面中央部２４ｃ’に釣糸が保持される。
また、スプール５からの釣糸放出を可能にするクラッチＯＦＦ状態にクラッチレバー５３を切り換え操作することにより、サムレスト４０が上方向へ移動し、この移動によりピラー３０が第２の位置に移動して、釣糸挿通孔２４の下部内面中央部２４ｃ’から釣糸が離れる。
【０１０９】
本実施形態の魚釣用リールによれば、釣糸放出（仕掛けの投入）から釣糸巻き取りまでの一連の操作をスムーズに行うことができ、操作性に優れ、釣果の向上を期待することができる。
さらに、サムレスト４０とピラー３０とが一緒に移動するので、サムレスト４０がピラー３０の移動に邪魔にならず、ピラー３０の上下方向の移動量を大きく設定することができ、ラインガイド２３を上下方向（高さ方向）に大きく形成することも可能である。これによって、釣糸放出時に釣糸挿通孔２４の内面と釣糸との放出抵抗（接触抵抗）が小さくなる。これによって、スムーズな釣糸の放出を実現することができる。
また、ピラー３０を下方向に移動させたときには、サムレスト４０も下がるので、違和感なくパーミング（把持）しながら、釣糸の巻き取り操作を行うことができ、操作性に優れる。
【０１１０】
（第４実施形態）
図１０，図１１を参照して第４実施形態の魚釣用リールについて説明する。
本実施形態の魚釣用リールは前記第３実施形態の変形例であり、前記第３実施形態と異なるところは、ピラー３３が、釣糸の軸周りを囲う枠状とされている点である。
【０１１１】
ピラー３３は、図１０（ａ）に示すように、前方から見て四角枠状とされており、上枠３３ａと下枠３３ｃと左右枠３３ｂ，３３ｂとを備えている。そして、ピラー３３の枠内に釣糸が挿通されるようになっている。
上枠３３ａは、サムレスト４０の前部下面に設けられた支持部４１，４１に支持されてサムレスト４０に固定されている。上枠３３ａは、ピラー３３が第１の位置に移動した際に、図１１（ｂ）に示すように、釣糸挿通孔２４の下部内面中央部２４ｃ’に釣糸を誘導するように設定されており、下部内面中央部２４ｃ’（釣糸案内溝２４ｄ内に）に釣糸を保持するように作用する。
【０１１２】
下枠３３ｃは、左右枠３３ｂ，３３ｂを介して上枠３３ａに連結されており、図１１（ａ）に示すように、サムレスト４０が閉じられた状態（ピラー３３が第１の位置に移動した状態）で、上枠３３ａに対して後方側に偏位している。これにより、左右枠３３ｂ，３３ｂは、垂直面に対して後方へ角度θ１をもって傾斜している。
【０１１３】
ここで、リール本体１の釣竿取付脚１ａの下面を基準として、下枠３３ｃの釣糸当接面３３ｃ’までの高さをｈ５としたときに、本実施形態では、図１１（ｃ）（ｄ）に示すように、第２の位置にピラー３３が移動した釣糸放出時において、次式（６）の関係を有するように設定されている。
ｈ５  ＞  ｈ４                  ・・・（６）
【０１１４】
すなわち、釣糸放出時においては、リール本体１の下端部を基準として、下枠３３ｃの釣糸当接面３３ｃ’が釣糸挿通孔２４の下部内面中央部２４ｃ’までの高さｈ４よりも高くなるように設定されている。
したがって、クラッチレバー５３の操作によってクラッチＯＮ状態からクラッチＯＦＦ状態に切り換えられると、第１の位置から第２の位置にピラー３３が移動して退避され、その過程で、釣糸にテンションが付与されていない状態や、水分、付着物等で釣糸が釣糸案内溝２４ｄに吸着している場合においても、下枠３３ｃによって釣糸案内溝２４ｄ内に保持されていた釣糸が上方へ持ち上げられる。これにより、釣糸案内溝２４ｄ内における釣糸の保持がより確実に解除され、釣糸案内溝２４ｄ内から釣糸挿通孔２４の上部の横長のスペースに釣糸が移動することとなる。したがって、スムーズな釣糸の放出を行うことができる。
【０１１５】
また、第２の位置にピラー３３が移動した状態では、ピラー３３の上枠３３ａが釣糸挿通孔２４の上部内面２４ａとスプール５の釣糸巻回位置５ｅとの間に架け渡された釣糸の上方に間隔を隔てて位置することとなり、また、下枠３３ｃが同様に釣糸の下方に間隔を隔てて位置することとなる。これによって、上枠３３ａおよび下枠３３ｃは、釣糸に対して直接接触することのない位置に退避される状態となり、これによって、スプール５から繰り出される釣糸は、上枠３３ａおよび下枠３３ｃに接触することなくラインガイド２３の釣糸挿通孔２４に送られる。したがって、スムーズな釣糸の放出を行うことができる。
【０１１６】
ところで、このように構成されたピラー３３は、前記したように下枠３３ｃが上枠３３ａに対して後方へ偏位しているので、前後方向から見たとき開口の大きさ（図示しない垂直面に投影された開口の大きさ）が、第１の位置にあるときよりも第２の位置にあるときの方が大きくなる。
したがって、ピラー３３が第２の位置にある釣糸放出時には、第１の位置にある場合に比べて、開口が実質的に大きくなり、これによって、スムーズな釣糸放出を実現することができる。
また、ピラー３３が第１の位置にある釣糸巻き取り時には、第２の位置にある場合に比べて、開口が実質的に小さくなり、これによって、釣糸の巻き取りが安定し、巻き取りの均一性がよくなる。
【０１１７】
なお、第２の位置にピラー３３が移動した釣糸放出時において、前記式（６）の関係を必ずしも有しなくてもよい。
【０１１８】
（第５実施形態）
図１２，図１３を参照して第５実施形態の魚釣用リールについて説明する。
本実施形態の魚釣用リールは前記第４実施形態の変形例であり、前記第４実施形態と異なるところは、ピラー３５が、ラインガイド２３の前方に位置するように構成されている点である。
【０１１９】
ピラー３５は、図１２（ａ）に示すように、前方から見て四角枠状とされており、上枠３５ａと下枠３５ｃと左右枠３５ｂ，３５ｂとを備えて、サムレスト４０の前端下部に一体的に設けられている。このピラー３５においても、枠内に釣糸が挿通されるようになっている。
上枠３５ａは、サムレスト４０の前端下面により形成されており、ピラー３５が第１の位置に移動した際に、図１３（ｂ）に示すように、釣糸挿通孔２４の下部内面中央部２４ｃ’に釣糸を誘導するように設定されており、下部内面中央部２４ｃ’（釣糸案内溝２４ｄ内に）に釣糸を保持するように作用する。本実施形態では、図１３（ｂ）に示すように、前方から見たときに、上枠３５ａの下方に、釣糸案内溝２４ｄの略全体が露出する位置（前記した高さｈ４に相当する位置（第１の位置））にピラー３５が位置するように設定されている。
【０１２０】
下枠３５ｃは、左右枠３５ｂ，３５ｂを介して上枠３５ａに連結されており、図１３（ａ）に示すように、サムレスト４０が閉じられた状態（ピラー３５が第１の位置に移動した状態）で、前方から見て、螺軸２１よりも下方に位置するようになっている。
本実施形態では、ピラー３５が第１の位置にあるときに、ピラー３５は略垂直に配置されるようになっている。
【０１２１】
ここで、リール本体１の釣竿取付脚１ａの下面を基準として、下枠３５ｃの釣糸当接面３５ｃ’までの高さをｈ６としたときに、本実施形態では、図１３（ｃ）（ｄ）に示すように、第２の位置にピラー３５が移動した釣糸放出時において、次式（７）の関係を有するように設定されている。
ｈ６  ＞  ｈ４                  ・・・（７）
【０１２２】
すなわち、釣糸放出時においては、リール本体１の下端部を基準として、下枠３５ｃの釣糸当接面３５ｃ’が釣糸挿通孔２４の下部内面中央部２４ｃ’までの高さｈ４よりも高くなるように設定されている。
したがって、クラッチレバー５３の操作によってクラッチＯＮ状態からクラッチＯＦＦ状態に切り換えられると、第１の位置から第２の位置にピラー３５が移動して退避され、その過程で、釣糸にテンションが付与されていない状態や、水分、付着物等で釣糸が釣糸案内溝２４ｄに吸着している場合においても、下枠３５ｃによって釣糸案内溝２４ｄ内に保持されていた釣糸が上方へ持ち上げられる。これにより、釣糸案内溝２４ｄ内における釣糸の保持がより確実に解除され、釣糸案内溝２４ｄ内から釣糸挿通孔２４の上部の横長のスペースに釣糸が移動することとなる。したがって、スムーズな釣糸の放出を行うことができる。
【０１２３】
また、第２の位置にピラー３５が移動した状態では、ピラー３５の上枠３５ａが釣糸挿通孔２４の上部内面２４ａとスプール５の釣糸巻回位置５ｅとの間に架け渡された釣糸の上方に間隔を隔てて位置することとなり、また、下枠３５ｃが同様に釣糸の下方に間隔を隔てて位置することとなる。これによって、上枠３５ａおよび下枠３５ｃは、釣糸に対して直接接触することのない位置に退避される状態となり、これによって、スプール５から繰り出される釣糸は、上枠３５ａおよび下枠３５ｃに接触することなく放出される。したがって、スムーズな釣糸の放出を行うことができる。
【０１２４】
なお、第２の位置にピラー３５が移動した釣糸放出時において、前記式（７）の関係を必ずしも有しなくてもよい。
また、ピラー３５は、枠状としたが、これに限られることはなく、上枠３５ａのみを有するように構成してもよい。
【０１２５】
図１４（ａ）〜（ｃ）は、ラインガイド２３の変形例を示したものであり、図１４（ａ）に示した例は、ラインガイド２３の上部（上枠、以下同じ）に、前後方向に直線状に延びる釣糸挿通用の切欠き部２３Ａを形成したものである。
また、図１４（ｂ）に示した例は、ラインガイド２３の上部に、前後斜め方向に直線状に延びる釣糸挿通用の切欠き部２３Ｂを形成したものである。
また、図１４（ｃ）に示した例は、ラインガイド２３の上部に、前後方向に湾曲状に延びる釣糸挿通用の切欠き部２３Ｃを形成したものである。
【０１２６】
これらの例に示したような、切欠き部２３Ａ，２３Ｂ，２３Ｃをラインガイド２３に設けることによって、各切欠き部２３Ａ，２３Ｂ，２３Ｃを通じて釣糸挿通孔２４内に釣糸を簡単に挿通することができ、釣糸挿通孔２４に直接に釣糸を通すときのような手間がかからない。したがって、操作性のよい魚釣用リールが得られる。
【０１２７】
なお、図１４（ｂ）（ｃ）に示した例では、切欠き部２３Ｂ，２３Ｃの軸線が、釣糸放出時および釣糸巻き取り時における釣糸の軸線（不図示）と異なっているので、釣糸挿通孔２４内に釣糸を簡単に挿通することができる構成でありながら、釣糸放出時および釣糸巻き取り時において釣糸が釣糸挿通孔２４を通じて外れることもない。
【０１２８】
なお、前記各実施形態では、釣糸挿入孔２４の下部内面中央部２４ｃ’に釣糸案内溝２４ｄを設けたが、釣糸案内溝２４ｄは必ずしも設けなくてもよく、下部内面中央部２４ｃ’の谷部によって釣糸が保持されるようにしてもよい。
【０１２９】
また、前記第１，第２実施形態においてピラーは棒状としたが、第４実施形態で示したような枠状としてもよい。
また、ピラーは、ラインガイド２３の前後両方に配置して構成であってもよい。
また、各実施形態において、釣糸放出時にラインガイド２３は、左右方向に静止状態であるが、スプール５の回転と連動させて、左右往復動させてもよく、この場合にも、釣糸放出時の抵抗を減少させることができる。
【０１３０】
また、各実施形態において、ドラグフリー状態にしたときに、この操作に連動して、ラインガイド２３とピラー３０（３３，３５）とが離れる方向に移動するように構成してもよい。この場合には、ドラグフリー状態にしたときにクラッチ駆動部材５１が連動して作動するように構成すればよい。
【符号の説明】
【０１３１】
１      リール本体                            ３０    ピラー
２Ａ，２Ｂ    左右側板                        ３１    釣糸案内部
４      サムレスト                            ３３    ピラー
５      スプール                              ３３ａ  上枠
７      ハンドル                              ３３ｂ  左右枠
７ａ    ハンドル軸                            ３３ｃ  下枠
１０    駆動機構                              ３５    ピラー
２０    レベルワインド機構                    ３５ａ  上枠
２２    釣糸案内体                            ３５ｂ  左右枠
２３    ラインガイド                          ３５ｃ  下枠
２４    釣糸挿通孔                            ４０    サムレスト
２４ａ  上部内面                              ５３    クラッチレバー
２４ｃ  下部内面                              ３００Ａ  ピラー操作部
２４ｃ’  下部内面中央部
２４ｄ  釣糸案内溝
【図１】
2012070683.tif 000003
【図２】
2012070683.tif 000004
【図３】
2012070683.tif 000005
【図４】
2012070683.tif 000006
【図５】
2012070683.tif 000007
【図６】
2012070683.tif 000008
【図７】
2012070683.tif 000009
【図８】
2012070683.tif 000010
【図９】
2012070683.tif 000011
【図１０】
2012070683.tif 000012
【図１１】
2012070683.tif 000013
【図１２】
2012070683.tif 000014
【図１３】
2012070683.tif 000015
【図１４】
2012070683.tif 000016
【手続補正書】
【提出日】平成23年11月4日(2011.11.4)
【手続補正１】
【補正対象書類名】特許請求の範囲
【補正対象項目名】請求項９
【補正方法】変更
【補正の内容】
【請求項９】
前記釣糸挿通孔は、水平面に対して平行な上部内面を有しており、左右開口幅が上下開口高さに比べて大きく形成されて、左右方向に横長形状とされていることを特徴とする請求項１から請求項８のいずれか１項に記載の魚釣用リール。
【手続補正２】
【補正対象書類名】明細書
【補正対象項目名】０１２８
【補正方法】変更
【補正の内容】
【０１２８】
なお、前記各実施形態では、釣糸挿通孔２４の下部内面中央部２４ｃ’に釣糸案内溝２４ｄを設けたが、釣糸案内溝２４ｄは必ずしも設けなくてもよく、下部内面中央部２４ｃ’の谷部によって釣糸が保持されるようにしてもよい。
【手続補正３】
【補正対象書類名】図面
【補正対象項目名】図１０
【補正方法】変更
【補正の内容】
【図１０】
2012070683.tif 000017
【手続補正４】
【補正対象書類名】図面
【補正対象項目名】図１２
【補正方法】変更
【補正の内容】
【図１２】
2012070683.tif 000018